(57)【要約】【課題】入賞口装置への球の安定的な誘導を図る。【解決手段】誘導装置２８の左右一対の通路壁４２が装置基盤４１の前面に固定されているので、装置基盤４１が遊技盤１１の前面に固定されることによって、釘調整が行われることなく、左右一対の通路壁４２が移動することもなく、球Ｐが球検出孔６４を上から下に通過し、球検出器６３が球検出信号を制御装置７４に出力すると、制御装置７４が表示灯６９を上から下に順に点滅するように制御することによって、複数の表示灯６９の光表示部５７を前側に透過する光が球誘導装置２８における通路壁４２の間の隙間を通過する球Ｐを誘導するようなまたは当該球Ｐを追いかけるような、光による演出が遊技者に与えられる。【選択図】図１
2008104653.tif 000002
【特許請求の範囲】
【請求項１】
遊技盤の前面には球誘導装置と球誘導装置を通過した球を取り込み得る入賞装置とが設けられ、球誘導装置は遊技盤の前面に固定される装置基盤と装置基盤の前面から前側に突出するように装置基盤に固定された左右一対の通路壁とを有し、通路壁はそれらの間に少なくとも１個の球を上から下に通過させる袴なる球通路を構成したことを特徴とするパチンコ遊技機。
【請求項２】
請求項１に記載の装置基盤と通路壁とにわたり球検出器が設けられ、装置基盤には光表示部が球検出器から下に離れて左右一対の通路壁の間に位置して設けられ、球検出器による球の検出で動作する表示灯が光表示部と対応して装置基盤の後部に設けられたことを特徴とするパチンコ遊技機。
【請求項３】
請求項１に記載の入賞装置が球誘導装置の通路壁の間から鉛直線上を通って落下した球を取り込み得る位置と、球誘導装置の通路壁の外側面に接触しながら当該通路壁から下方に落下した球を取り込み得る位置とに設けられたことを特徴とするパチンコ遊技機。
【発明の詳細な説明】
【技術分野】
【０００１】
本発明は、球が入賞口装置に安定して誘導されるパチンコ遊技機に関する。
【背景技術】
【０００２】
図６は、パチンコ遊技機の遊技盤８１を示す。図６において、遊技盤８１の前面には、球誘導装置８２と入賞装置８３とが設けられる。球誘導装置８２は、入賞装置８３から上に離れて入賞装置８３の真上に位置する。球誘導装置８２の回転盤８４は、遊技盤８１の前面に配置され、盤軸８５を中心として、遊技盤８１の前面と平行するように、モータ８６で回転される。回転盤８４の前面には、一対の通路壁８７が設けられる。一対の通路壁８７は、平行部８８と広角部８９とを備える。平行部８８は、一対の通路壁８７の間に形成される球を通過させる通路の幅が一定な直線状の通路を構成する。広角部８９は、一対の通路壁８７の間に形成される球を通過させる通路の幅が平行部８８から離れるにしたがって徐々に広くなる、広がり状の通路を構成する。よって、回転盤８４がモータ８６で回転した後に停止されることによって、図６のａ図に示す平行部８８が上で広角部８９が下となる袴と呼ばれる球誘導形態と、図６のｂ図に示す平行部８８が下で広角部８９が上となる朝顔と呼ばれる球誘導形態とが作れるようになっている。しかしながら、一対の通路壁８７が回転する構造であるので、通路壁８７が回転している場合、遊技盤８１の前面を流下する球が回転中の通路壁８７に衝突して予期しない方向に跳ね返され、入賞装置８３への入賞が不安定になるという欠点がある。図示は省略するが、連釘によって朝顔と呼ばれる球誘導形態または袴と呼ばれる球誘導形態を遊技盤に固定的に設けることも知られているが、釘調整が行われ、入賞口装置への入賞が不安定になるという欠点がある。
【特許文献１】特願２０００−９６９２８号公報
【発明の開示】
【発明が解決しようとする課題】
【０００３】
発明が解決しようとする問題点は、入賞口装置への入賞が不安定になるという点である。
【課題を解決するための手段】
【０００４】
本発明に係るパチンコ遊技機は、遊技盤の前面には球誘導装置と球誘導装置を通過した球を取り込み得る入賞装置とが設けられ、球誘導装置は遊技盤の前面に固定される装置基盤と装置基盤の前面から前側に突出するように装置基盤に固定された左右一対の通路壁とを有し、通路壁はそれらの間に少なくとも１個の球を上から下に通過させる袴なる球通路を構成したことを最も主要な特徴とする。装置基盤と通路壁とにわたり球検出器が設けられ、装置基盤には光表示部が球検出器から下に離れて左右一対の通路壁の間に位置して設けられ、球検出器による球の検出で動作する表示灯が光表示部と対応して装置基盤の後部に設けられたり、または、入賞装置が球誘導装置の通路壁の間から鉛直線上を通って落下した球を取り込み得る位置と、球誘導装置の通路壁の外側面に接触しながら当該通路壁から下方に落下した球を取り込み得る位置とに設けられたりしてもよい。
【発明の効果】
【０００５】
本発明に係るパチンコ遊技機は、球誘導装置の左右一対の通路壁が装置基盤の前面に固定されているので、球誘導装置の装置基盤が遊技盤の前面に固定されることによって、釘調整が行われることなく、左右一対の通路壁が移動することもなく、球誘導装置を通過した球が当該球を取り込み得る入賞装置に安定的に誘導されるという利点がある。装置基盤と通路壁とにわたり球検出器が設けられ、装置基盤には光表示部が球検出器から下に離れて左右一対の通路壁の間に位置して設けられ、球検出器による球の検出に伴い動作する表示灯が光表示部と対応して装置基盤の後部に設けられれば、球が通路壁の間を通過する場合に、光による演出が遊技者に与えられるという利点がある。入賞装置が球誘導装置の通路壁の間から鉛直線上を通って落下した球を取り込み得る位置と、球誘導装置の通路壁の外側面に接触しながら当該通路壁から下方に落下した球を取り込み得る位置とに設けられれば、球誘導装置を通過した球を取り込み得る入賞装置への入賞の機会が増えるという利点がある。
【発明を実施するための最良の形態】
【０００６】
図１乃至図４は、発明を実施するための最良の形態である。図１は、球誘導装置２８の周りにおけるパチンコ遊技機の縦に切断した断面を示す。図２は、パチンコ遊技機の正面を示す。図３は、球誘導装置２８の周りにおける遊技盤１１の正面を示す。図４は、球誘導装置２８を分解して示す。本明細書において、「前」、「表」、「後」、「裏」、「左」、「右」、「上」、「下」の方向は、図２の状態に遊技機枠１および遊技盤１１を置いて図２の紙面の前側から見た場合に特定される方向である。「前」および「表」は、同じ方向である。「後」および「裏」は、同じ方向である。
【０００７】
図２を参照し、パチンコ遊技機について説明する。パチンコ遊技機は、遊技機枠１の内部に遊技盤１１を交換可能に格納した形態である。遊技機枠１は、固定枠２の前側に可動枠３を開閉可能に備え、可動枠３の前側に前扉４および皿構造体５を開閉可能に備える。固定枠２は、遊技機設置構造体に取り付けるための外枠とも呼ばれる。遊技機設置構造体は、遊技店のパチンコ遊技機を設置する島とも呼ばれる設備である。可動枠３は、球発射機構６、遊技盤１１、図外の球払出機構など遊技に必要な装置を取り付ける前枠とも呼ばれる。球払出機構は、可動枠３の後部に設けられる。前扉４は、パネル枠とも呼ばれ、前後方向に貫通する窓７を備える。窓７は、前面パネル８で塞がれる。前面パネル８は、光透過性の有る無色な板状のガラスのような透明体により構成され、前扉４の後面に設けられる。皿構造体５の前面には、球受皿部９および球発射操作機構１０が設けられる。
【０００８】
遊技盤１１は、ガイドレール１２、球発射通路１３、一般入賞装置１４、特定入賞装置１５、可変入賞装置１６乃至２５、アウト口２６、遊技釘２７、球誘導装置２８を備える。ガイドレール１２は、遊技盤１１の前面に固定される。一般入賞装置１４、特定入賞装置１５、可変入賞装置１６乃至２５、アウト口２６、遊技釘２７、球誘導装置２８は、ガイドレール１２で囲まれた遊技盤１１の前面に設けられる。特定入賞装置１５は、隔壁３０、内部領域３１、球入口３２、入賞口３３；３４；３５を備える。隔壁３０は、遊技盤１１の前面から前側に突出し、遊技領域２９から内部領域３１に球を進入させないように内部領域３１を囲む。球入口３２は、遊技領域２９から内部領域３１に球を取り入れるように、隔壁３０の上部に設けられる。入賞口３３；３４；３５は、内部領域３１から球を入れるように、隔壁３０の下部に設けられる。
【０００９】
遊技盤１１が可動枠３に装着され、前扉４が閉じられて可動枠３に支持された場合、遊技領域２９が、前面パネル８と遊技盤１１およびガイドレール１２で囲まれた空間として構成される。そして、可変入賞装置１６乃至２５は、球が遊技領域２９から可変入賞装置１６乃至２５の何れにも入らないように、可変入賞装置１６乃至２５に個別に設けられた開閉体が閉じており、遊技領域２９は遊技機枠１の前側から窓７および前面パネル８を経由して視認される。その状態において、遊技者が球受皿部９にパチンコ球と呼ばれる球を入れ、遊技者が球発射操作機構１０を右回りに操作すると、球発射機構６が球発射操作機構１０の操作量に応じた発射力で駆動し、球発射機構６が球受皿部９から遊技機枠１の内部に取り込まれた球を１個ずつ球発射通路１３に向けて発射する。
【００１０】
球発射通路１３に発射された球は、球発射通路１３から、遊技盤１１のガイドレール１２で囲まれた前面上部、つまり、遊技領域２９の上部に到達する。遊技領域２９に到達した球は、遊技領域２９を流下する過程において、一般入賞装置１４、特定入賞装置１５、可変入賞装置１６乃至２５、遊技釘２７、球誘導装置２８などに衝突して、流れる方向を変えながら、一般入賞装置１４や特定入賞装置１５の何れか１つに入って遊技盤１１の後側に排出される。特定入賞装置１５や可変入賞装置１６乃至２５および図外の入賞装置のいずれにも入らないで、遊技領域２９の最下部に到達した球は、アウト口２６から遊技盤１１の後側に排出される。
【００１１】
一般入賞装置１４の何れか１つに球が１個入賞するごとに、図外の球払出機構が賞球を払い出すようになっている。１個の球が遊技領域２９から特定入賞装置１５の左右の何れか一方の球入口３２を経由して内部領域３１の入賞口３３乃至３５の何れか１つに入っても、球払出機構が賞球を払い出さないようになっている。しかしながら、例えば、球が中央の入賞口３３に入ると、可変入賞装置１６乃至１９の開閉体、可変入賞装置２１の開閉体、可変入賞装置２３乃至２５の開閉体が開き、球が左の入賞口３４に入ると、可変入賞装置２０の開閉体が開き、球が右の入賞口３５に入ると、可変入賞装置２２の開閉体が開く。そして、開閉体の開いた可変入賞装置１６乃至２５の何れか１つに１個の球が入ると、当該球が入った可変入賞装置１６乃至２５の開閉体が閉じるとともに球払出機構が賞球を払い出すようになっている。
【００１２】
球誘導装置２８は、遊技盤１１の前面に、左右に分かれて取り付けられる。左の球誘導装置２８は、可変入賞装置２３から上に離れて可変入賞装置２３の真上に位置し、かつ、可変入賞装置２０と可変入賞装置２１との間に配置される。可変入賞装置２０と左の球誘導装置２８との間の隙間、可変入賞装置２１と左の球誘導装置２８との間の隙間は、少なくとも１個の球を上から下に通過させ得る寸法を有する。可変入賞装置２３と左の球誘導装置２８との間の隙間は、少なくとも１個の球を左右に通過させ得る寸法を有する。
【００１３】
右の球誘導装置２８は、可変入賞装置２５から上に離れて可変入賞装置２５の真上に位置し、かつ、可変入賞装置２１と可変入賞装置２２との間に配置される。可変入賞装置２１と右の球誘導装置２８との間の隙間、可変入賞装置２２と右の球誘導装置２８との間の隙間は、少なくとも１個の球を上から下に通過させ得る寸法を有する。可変入賞装置２５と右の球誘導装置２８との間の隙間は、少なくとも１個の球を左右に通過させ得る寸法を有する。
【００１４】
図３を参照し、球誘導装置２８の周りにおける遊技盤１１について、左の球誘導装置２８の周囲を例として説明する。球誘導装置２８は、遊技盤１１の前面に固定される装置基盤４１の前面に左右一対の通路壁４２を有する。通路壁４２は、それらの間に少なくとも１個の球を上から下に通過させ得る球通路を上下および前方に開口された形状に形成するように、左右に相対峙し、装置基盤４１の前面から前側に突出し、上部の平行部４３と下部の広角部４４とを連接し、袴と呼ばれる球誘導形態を構成する。平行部４３は、通路壁４２が左右で平行に相対峙し、上下方向に延びる直線状の通路を形成する。広角部４４は、通路壁４２が上から下に行くにしたがって徐々に左右外側に広がって相対峙し、上下方向に延びる広がり状の通路を形成する。つまり、球誘導装置２８の左右一対の通路壁４２が装置基盤４１の前面に固定されているので、装置基盤４１が遊技盤１１の前面に固定されることによって、釘調整が行われることなく、左右一対の通路壁４２が移動することもなく、球誘導装置２８を通過した球が可変入賞装置２３；２４に安定的に誘導されるという利点がある。
【００１５】
遊技盤１１には、球誘導装置２８に対する命釘４５、球誘導装置２８の左側に対する連釘４６、球誘導装置２８の右側に対する連釘４７、可変入賞装置２３に対する命釘４８、可変入賞装置２４に対する保護釘４９、球誘導装置２８から可変入賞装置２４に対する誘導釘５０；５１；５２が設けられる。
【００１６】
命釘４５は、球誘導装置２８への球の入りやすさを調整する２本の釘からなり、遊技盤１１の前面から前側に突出し、少なくとも１個の球を上から下に通過させ得る間隔で左右に相対峙し、通路壁４２から上に離れ、通路壁４２の真上に個別に対応する。命釘４５と通路壁４２との間の隙間は、１個の球を左右に通過させ得る寸法を有する。
【００１７】
連釘４６は、球誘導装置２８の左側で球を上から下に直線的に誘導する多数本の釘からなり、通路壁４２から左側に離れ、遊技盤１１の前面から前側に突出する。連釘４６を構成する多数本の釘相互の隙間は、球を左右に通過させ得ない寸法を有する。連釘４６と左の通路壁４２との間の隙間は、少なくとも１個の球を上から下に通過させ得る寸法を有する。連釘４６の最上部の釘は、命釘４５の左真横に配置される。連釘４６の最上部の釘と左の命釘４５との間の隙間は、少なくとも１個の球を上から下に通過させ得る寸法を有する。連釘４６の最下部の釘は、左の通路壁４２の平行部４３と対向する。
【００１８】
連釘４７は、球誘導装置２８の右側で球を上から下に直線的に誘導する多数本の釘からなり、通路壁４２から右側に離れ、遊技盤１１の前面から前側に突出する。連釘４７を構成する多数本の釘相互の隙間は、球を左右に通過させ得ない寸法を有する。連釘４７と右の通路壁４２との間の隙間は、少なくとも１個の球を上から下に通過させ得る寸法を有する。連釘４７は右の通路壁４２の平行部４３と対向する。連釘４７の最上部の釘と右の命釘４５との間の隙間は、少なくとも１個の球を上から下に通過させ得る寸法を有する。
【００１９】
命釘４８は、可変入賞装置２３への球の入りやすさを調整する２本の釘からなり、遊技盤１１の前面から前側に突出し、少なくとも１個の球を上から下に通過させ得る間隔で左右に相対峙し、球誘導装置２８および可変入賞装置２３から離れ、可変入賞装置２３の真上に対応する。可変入賞装置２３の開閉体５３は、実線で示す開放位置と仮想線で示す閉鎖位置とに開閉する。開閉体５３が仮想線で示すように閉じた場合、命釘４８は、開閉体５３の真上に個別に対応する。命釘４８と開閉体５３との間の隙間は、１個の球を左右に通過させ得る寸法を有する。
【００２０】
よって、開閉体５３が閉じた場合でも、命釘４８を構成する２本の釘の間を上から下に通過した球が矢印Ｘ１で示すように鉛直線上を通るように落下し、閉じた開閉体５３の間の隙間から可変入賞装置２３に入る可能性があり、または、命釘４８と開閉体５３との間の隙間を矢印Ｘ２で示すように左から右または矢印Ｘ３で示すように右から左に通過した球が鉛直線上を通るように落下し、閉じた開閉体５３の間の隙間から可変入賞装置２３に入る可能性がある。
【００２１】
誘導釘５０乃至５２は、球誘導装置２８における右の通路壁４２の右外面の上から下方に落下した球を可変入賞装置２４の側に誘導するものであって、球誘導装置２８および可変入賞装置２３；２４から離れ、遊技盤１１の前面から前側に突出する。右の通路壁４２と誘導釘５０との間の隙間、誘導釘５０と開閉体５３との間の隙間、誘導釘５０と誘導釘５１との間の隙間、誘導釘５１と開閉体５３との間の隙間、誘導釘５１と誘導釘５２との間の隙間、保護釘４９と誘導釘５２との間の隙間は、少なくとも１個の球を上から下に通過させ得る寸法を有する。
【００２２】
よって、矢印Ｘ４で示すように、右の通路壁４２と連釘４７との間を上から下に通過した球が、右の通路壁４２の広角部４４の外側面としての右側面に接触しながら右の広角部４４から一側下方に落下しつつ誘導釘５０の上方に向けて流下した場合、右の通路壁４２と誘導釘５０との間、誘導釘５０と誘導釘５１との間、誘導釘５１と誘導釘５２との間から下方に落下するか、または、右の通路壁４２から誘導釘５０乃至５２を順に経由して誘導釘５２と保護釘４９との間から下方に落下する。
【００２３】
可変入賞装置２４の開閉体５４は、実線で示す開放位置と仮想線で示す閉鎖位置とに開閉する。開閉体５４が実線で示すように開いた場合、誘導釘５２は、左の開閉体５４の真上に対応し、誘導釘５２と左の開閉体５４との間の隙間は、１個の球を左右に通過させ得る寸法を有する。開閉体５４が仮想線で示すように閉じた場合、誘導釘５２と左の開閉体５４との間の隙間は１個の球を上下に通過させ得る寸法を有し、保護釘４９と開閉体５４との間の隙間は球を左右に通過させ得ない寸法を有する。
【００２４】
よって、開閉体５４が開いた場合、矢印Ｘ４で示すように、右の通路壁４２と連釘４７との間を上から下に通過した球が、右の通路壁４２から誘導釘５０乃至５２を順に経由して誘導釘５２と保護釘４９との間から下方に落下することによって、可変入賞装置２４に入る。また、開いた左の開閉体５４と誘導釘５２との間を左から右に通過した球、誘導釘５２と保護釘４９との間を上方から通過した球は、可変入賞装置２４に入る。開閉体５４が閉じた場合、球は可変入賞装置２４に入らない。
【００２５】
図２および図３において、可変入賞装置２３；２５が球誘導装置２８の通路壁４２の間から鉛直線上を通って落下した球を取り込み得る位置に設けられた入賞装置を構成し、可変入賞装置２４が球誘導装置２８の広角部４４の外側面に接触しながら当該広角部４４から一側下方に落下した球を取り込み得る位置に設けられた入賞装置を構成する。つまり、可変入賞装置２３が球誘導装置２８の通路壁４２の間から鉛直線上を通って落下した球を取り込み得る位置に設けられ、可変入賞装置２４が球誘導装置２８の広角部４４の外側面に接触しながら広角部４４から一側下方に落下した球を取り込み得る位置に設けられているので、球誘導装置２８を通過した球の入賞の機会が増えるという利点がある。
【００２６】
遊技盤１１の前面には、図３における命釘４５に相当する命釘、連釘４６；４７に相当する連釘、命釘４８に相当する命釘、保護釘４９に相当する保護釘、誘導釘５０乃至５２に相当する誘導釘が、図２における可変入賞装置２１；２４を上下に通る直線を対称軸として、命釘４５、連釘４６；４７、命釘４８、保護釘４９、誘導釘５０乃至５２と左右対称となるように、設けられる。
【００２７】
図４を参照し、球誘導装置２８について説明する。装置基盤４１には、検出挿入孔５５、検出支持部５６、光表示部５７、照明取付部５８が設けられる。検出挿入孔５５は、前後方向への貫通孔として、通路壁４２の間の隙間と対応しかつ光表示部５７よりも上になるように、装置基盤４１に設けられる。検出支持部５６は、検出挿入孔５５の一縁部から装置基盤４１の後側に突出した弾性片と、弾性片の後端部に設けられた突起とを備える。光表示部５７は、前後方向への貫通孔として、通路壁４２の間の隙間と対応しかつ検出挿入孔５５から遊技盤１１の前面を上から下に垂直に流下する球の流下方向の下流側となるように、上下に分かれた複数として、装置基盤４１に設けられる。照明取付部５８は、装置基盤４１の後面から後側に突出した筒状として、装置基盤４１の後面に設けられる。
【００２８】
通路壁４２には、検出誘導溝５９、前壁６０が設けられる。検出誘導溝５９は、装置基盤４１の後側から検出挿入孔５５を経由して通路壁４２の側に突出した球検出器６３の両側部を嵌め込むように、通路壁４２の相対峙する面に設けられる。前壁６０は、検出誘導溝５９に嵌め込まれた球検出器６３を前側から目隠しするとともに光表示部５７を目隠ししないように、通路壁４２の前部にわたり固定される。前壁６０の後面には、検出収容部６１が設けられる。検出収容部６１は、球検出器６３の検出誘導溝５９から前側に突出した前部を収容するように、前壁６０の後面から前側への窪みを構成する。
【００２９】
球検出器６３は、球検出孔６４、コネクタ６５を有する。球検出孔６４は、１個の球を上下に通過させ得る上下方向への貫通孔として、球検出器６３の前部に設けられる。コネクタ６５は、球検出器６３と制御装置７４（図１参照）とを繋ぐ電線を接続するものであって、球検出器６３の後部に設けられる。
【００３０】
球検出器６３は、装置基盤４１に、次のように取り付けられる。球検出孔６４が装置基盤４１の側に向けられ、球検出器６３の前部が装置基盤４１の後側から検出挿入孔５５および検出誘導溝５９を経由して検出収容部６１に収容され、検出支持部５６の突起が球検出器６３の側面から後面の側に突出して球検出器６３の後面と対向し、検出支持部５６が球検出器６３を後側に移動しないように支持する。これによって、球検出器６３が前壁６０と検出支持部５６の突起とで前後方向に移動しないように支持されて装置基盤４１に取り付けられ、球検出孔６４が通路壁４２の間の隙間に配置される（図１参照）。
【００３１】
照明構造体６７は、回路基板６８、表示灯６９、コネクタ７０、取付孔７１を備える。回路基板６８には、複数の表示灯６９およびコネクタ７０が互いに電気的に接続されるように実装される。表示灯６９は、回路基板６８の前面に配置され、ＬＥＤなどで構成される。コネクタ７０は、回路基板６８の後面に配置される。回路基板６８には、取付孔７１が前後方向への貫通孔として設けられる。
【００３２】
照明構造体６７は装置基盤４１に、次のように取り付けられる。表示灯６９が装置基盤４１の側に向けられ、タッピングスクリューのような止ねじ７２が回路基板６８の後側から取付孔７１を経由して照明取付部５８に締結される。これによって、照明構造体６７が装置基盤４１に取り付けられ、表示灯６９が光表示部５７の後側に配置され、表示灯６９と光表示部５７とが１つずつ相互に対向する（図１参照）。
【００３３】
図１を参照し、球誘導装置２８の周りにおけるパチンコ遊技機の内部について説明する。遊技盤１１には、逃避孔７３が前後方向への貫通孔として設けられる。球誘導装置２８が遊技盤１１に取り付けられる場合、装置基盤４１の裏面が遊技盤１１の側に向けられ、球検出器６３の後部および照明構造体６７が遊技盤１１の前側から逃避孔７３に挿入され、装置基盤４１の裏面が遊技盤１１の前面に接触され、装置基盤４１が逃避孔７３を前側から覆い隠す。そして、図外の木ねじのような止ねじが装置基盤４１の前側から装置基盤４１に形成された図外の貫通孔を経由して遊技盤１１に締結されることによって、球誘導装置２８が遊技盤１１に固定される。この遊技盤１１が可動枠３（図２参照）に装着され、前扉４（図２参照）が閉じられて可動枠３に支持されることによって、前面パネル８が球誘導装置２８の前側に配置される。前面パネル８と球誘導装置２８の前壁６０との間の隙間は、遊技領域２９を流下する球Ｐが進入できない寸法になっている。球検出器６３のコネクタ６５が、制御装置７４の入力部に接続される。照明構造体６７のコネクタ７０が、制御装置７４の出力部に接続される。制御装置７４は遊技盤１１の後部または可動枠３の後部に取り付けられる。
【００３４】
制御装置７４が電気的に起動し、制御装置７４から球検出器６３に電力が供給され、球検出器６３が球を検出した場合に電気的な球検出信号を制御装置７４に出力し得るように起動される。つまり、球検出器６３が球を検出可能になった状態において、遊技領域２９を流下する球Ｐが、球誘導装置２８の装置基盤４１と通路壁４２と前壁６０とで囲まれる上下方向の貫通孔に上から入る。この球Ｐが球検出孔６４を上から下に通過する場合、球検出孔６４に形成されている電界が変化することによって、球検出器６３が球Ｐを検出した電気的な球検出信号を制御装置７４に出力する。この球検出信号が制御装置７４に入力されると、制御装置７４が照明構造体６７の表示灯６９を上から下に順に点滅するように制御する。したがって、上の表示灯６９が点灯後に消灯し、これに続き、すぐ下の表示灯６９が点灯後に消灯するというように、上下に分かれて配置された複数の表示灯６９が上から下に順に点滅する。
【００３５】
これによって、球Ｐが球誘導装置２８の装置基盤４１と通路壁４２と前壁６０とで囲まれる上下方向の貫通孔から光表示部５７の前を上から下に通過することに合わせて、複数の表示灯６９が上から下に順に点滅するので、遊技者がパチンコ遊技機の前側から前面パネル８を通して球誘導装置２８を見た場合、複数の表示灯６９の光表示部５７を前側に透過する光が球誘導装置２８における通路壁４２の間の隙間を通過する球を誘導するようなまたは当該球を追いかけるような、光による演出を遊技者に与えることができるという利点がある。
【００３６】
つまり、球検出器６３が装置基盤４１と通路壁４２とにわたり設けられ、装置基盤４１には光表示部５７が球検出器６３から下に離れて左右一対の通路壁４２の間に位置して設けられ、球検出器６３による球Ｐを検出したことに伴い動作する表示灯６９が光表示部５７と対応して装置基盤４１の後部に設けられているので、球Ｐが通路壁４２の間を通過する場合に、光による演出が遊技者に与えられるという利点がある。
【産業上の利用可能性】
【００３７】
図２において、前扉４および皿構造体５は、互いに別々に開閉し得る構造を例示したが、別々に開閉することが不可能な単一体として構成されてもよい。ガイドレール１２は、前扉４または前面パネル８に設けられてもよい。
【００３８】
図２において、球誘導装置２８を通過した球を取り込み得る入賞装置として、チューリップタイプの可変入賞装置２３乃至２５を例示したが、開閉体が下部の開閉軸を中心として前傾状または垂直状に開閉するアタッカタイプ、開閉体が引き出しのように前後に移動するタイプ、開閉体が引き戸のように左右に移動するタイプの可変入賞装置、または、開閉体を持たない一般入賞装置１４のようなポケットタイプの入賞装置でもよい。球誘導装置２８を通過した球を取り込み得る入賞装置としては、単数でもよい。
【００３９】
図１において、光表示部５７は、前後方向への貫通孔に透明体を装着した構造でもよい。この場合、前後方向への貫通孔は、複数の表示灯６９に対応した複数でもよいが、複数の表示灯６９で共用する単数でもよく、単数の貫通孔に透明体を装着する場合、透明体に複数の表示灯６９に対応した貫通孔以外の部分をメッキまたは塗料で遮光可能に被覆してもよい。
【００４０】
図１において、光表示部５７および表示灯６９は互いに対となる単数でもよい。つまり、１個の光表示部５７と１個の表示灯６９とが球誘導装置２８に設けられてもよい。
【００４１】
図４において、光表示部５７は、一対の通路壁４２の間に位置することなく、装置基盤４１に設けられてもよい。
【００４２】
図５は、異なる形態に係る通路壁４２の形状を示す。図５のａ図では、一対の通路壁４２が上から下に行くにしたがって徐々に外側に弧状に広がる形状である。図５のｂ図では、一対の通路壁４２が上から下に行くにしたがって徐々に外側に直線状に広がる形状である。図５のａ図およびｂ図に示す形状は、図３における平行部４３が除去された形状であるので、球Ｐを矢印Ｘ５で示すように直線的に落下させるように誘導する機能は、最良の形態よりも低下する。
【図面の簡単な説明】
【００４３】
【図１】球誘導装置の周りのパチンコ遊技機の縦断面図（最良の形態）。
【図２】パチンコ遊技機の正面図（最良の形態）。
【図３】球誘導装置の周りの遊技盤の正面図（最良の形態）。
【図４】球誘導装置の分解斜視図（最良の形態）。
【図５】通路壁の形状の正面図（異なる形態）
【図６】球誘導装置と入賞装置との周りの遊技盤の正面図（従来）。
【符号の説明】
【００４４】
１は遊技機枠、２は固定枠、３は可動枠、４は前扉、５は皿構造体、６は球発射機構、７は窓、８は前面パネル、９は球受皿部、１０は球発射操作機構、１１は遊技盤、１２はガイドレール、１３は球発射通路、１４は一般入賞装置、１５は特定入賞装置、１６乃至２５は可変入賞装置、２６はアウト口、２７は遊技釘、２８は球誘導装置、２９は遊技領域、３０は隔壁、３１は内部領域、３２は球入口、３３乃至３５は入賞口、３６乃至４０は欠番、４１は装置基盤、４２は通路壁、４３は平行部、４４は広角部、４５は命釘、４６は連釘、４７は連釘、４８は命釘、４９は保護釘、５０は誘導釘、５１は誘導釘、５２は誘導釘、５３は開閉体、５４は開閉体、５５は検出挿入孔、５６は検出支持部、５７は光表示部、５８は照明取付部、５９は検出誘導溝、６０は前壁、６１は検出収容部、６２は欠番、６３は球検出器、６４は球検出孔、６５はコネクタ、６６は欠番、６７は照明構造体、６８は回路基板、６９は表示灯、７０はコネクタ、７１は取付孔、７２は止ねじ、７３は逃避孔、７４は制御装置、７５乃至８０は欠番、８１は遊技盤、８２は球誘導装置、８３は入賞装置、８４は回転盤、８５は盤軸、８６はモータ、８７は通路壁、８８は平行部、８９は広角部。
【図１】
2008104653.tif 000003
【図２】
2008104653.tif 000004
【図３】
2008104653.tif 000005
【図４】
2008104653.tif 000006
【図５】
2008104653.tif 000007
【図６】
2008104653.tif 000008